【事件の表示】
　平成　７年特許願第　７４９７７号「液晶表示装置およびその製造方法」拒絶査定不服審判事件〔平成　８年１０月１８日出願公開、特開平　８−２７１８７４〕について、次のとおり審決する。
【結　論】
　本件審判の請求は、成り立たない。
【理　由】
１．手続きの経緯
　本願は、平成７年３月３１日の出願であって、平成１５年１１月１９日付で拒絶査定がなされ、これに対し、同年１２月２５日に拒絶査定に対する審判請求がなされるとともに、平成１６年１月２３日付けで手続補正がなされたものである。
　　
２．平成１６年１月２３日付の手続補正についての補正却下の決定
［補正却下の決定の結論］
　平成１６年１月２３日付の手続補正（以下、「本件補正」という。）を却下する。
［理由］
（１）本件補正後の本件発明について 
 　本件補正は、補正前の特許請求の範囲の記載、
「【請求項１】　液晶層を挟む状態に設けられる２つの透明電極層と、
　一方の透明電極層側から前記液晶層に向けて略平行な光を出射する光源と、
　前記光源と一方の透明電極層との間に設けられ、前記光源から出射される光を集光するプリズムと、
　他方の透明電極層の前記液晶層と反対側に配置され、該液晶層を透過した直後の光を拡散する複数の球状レンズから成る拡散手段と
　を備えていることを特徴とする液晶表示装置。
　　【請求項２】　第１の透明基板上に透明ポリマーを介して拡散手段を配置する工程と、
　前記拡散手段上に第１の透明電極層を形成し、その上に第１の配向膜を形成する工程と、
　第２の透明基板上に第２の透明電極層を形成し、その上に第２の配向膜を形成した後、該第２の配向膜と前記第１の配向膜とを対向させる状態で前記第１の透明基板と該第２の透明基板とをシール剤を介して接続する工程と、　前記第１の配向膜と前記第２の配向膜との間に液晶を注入する工程と、
　前記第２の透明基板を介して前記液晶層に向けて略平行な光を出射する光源を設ける工程と、
　前記光源から出射された光を集光するプリズムを設ける工程と
　から成ることを特徴とする液晶表示装置の製造方法。
　　【請求項３】　前記拡散手段は、前記第２の透明電極層に沿って一様に配置される複数の球状レンズから成ることを特徴とする請求項２記載の液晶表示装置の製造方法。」とあるのを、
　
「【請求項１】　一対の透明基板の各々に対応して設けられ、間に液晶層を挟む状態に設けられる２つの透明電極層と、
　一方の透明電極層側から前記液晶層に向けて略平行な光を出射する光源と、
　前記光源と一方の透明電極層との間に設けられ、前記光源から出射される光を集光するプリズムと、
　他方の透明電極層とこの他方の透明電極層と対応する前記透明基板との間に一様に配置され、該液晶層を透過した直後の光を拡散する複数の球状レンズと
　を備えていることを特徴とする液晶表示装置。
　　【請求項２】　第１の透明基板上に透明ポリマーを介して複数の球状レンズを一様に配置する工程と、
　前記複数の球状レンズ上に第１の透明電極層を形成し、その上に第１の配向膜を形成する工程と、
　第２の透明基板上に第２の透明電極層を形成し、その上に第２の配向膜を形成した後、該第２の配向膜と前記第１の配向膜とを対向させる状態で前記第１の透明基板と該第２の透明基板とをシール剤を介して接続する工程と、
　前記第１の配向膜と前記第２の配向膜との間に液晶を注入する工程と、
　前記第２の透明基板を介して前記液晶層に向けて略平行な光を出射する光源を設ける工程と、
　前記光源から出射された光を集光するプリズムを設ける工程と
　から成ることを特徴とする液晶表示装置の製造方法。」と補正するものである。
　
　上記補正によって、補正前の請求項１に係る、「
他方の透明電極層の前記液晶層と反対側に配置
他方の透明電極層とこの他方の透明電極層と対応する前記透明基板との間に一様に配置
　また、上記補正は、請求項の削除、誤記の訂正あるいは明瞭でない記載の釈明の何れにも該当しないことも明らかである。
　
　したがって、上記補正は、平成１５年改正前の特許法第１７条の２第３項の規定に違反しているので、特許法第１５９条第１項で読み替えて準用する特許法第５３条第１項の規定により却下されるべきものである。 
 
３．本願発明
（１）平成１６年１月２３日付の手続補正は前記のとおり却下されたので、本願の特許請求の範囲の請求項１乃至３に係る発明は、平成１４年９月１３日付の手続補正書の特許請求の範囲の請求項１乃至３に記載されたとおりの事項により特定されるものである（前掲の２．補正前の請求項１乃至３の記載参照。その内の請求項１に記載された発明を、「本願発明」という。）。
　
（２）先願明細書に記載された発明 
　特願平６−２３１７７８号（特開平８−９５０１５号参照）（以下、「先願」という。）の願書に最初に添付された明細書又は図面（以下、「先願明細書」という。）には、以下の記載がある。
　
ａ．「【特許請求の範囲】
　　【請求項１】２枚のガラス基板間に液晶が注入され、これらガラス基板の相対向する内側面には透明電極が形成され、外側面には偏光板が設けられた液晶表示装置において、前記ガラス基板のうち表示面側のガラス基板の液晶と対向する内側面と液晶との間には、その媒体中にこの媒体の屈折率とは異なる屈折率の粒子を分散させた透明媒体層が介在していることを特徴とする液晶表示装置。
　　【請求項２】　請求項１に記載の液晶表示装置において、前記透明媒体層はゾルゲル層であり、前記粒子の径は５μｍ以上２０μｍ以下であることを特徴とする液晶表示装置。」
　
ｂ．「【０００４】
　　【発明が解決しようとする課題】液晶表示装置の視野角依存性を改良する先行技術として、・・・表示面側（バックライトと反対側）の偏光板の外側に拡散板を配置し、斜めからの視認性を高めることが提案されている。
　　　【０００５】しかしながら、偏光板の外側に拡散板を配置する構造だと、画素からの距離が大きくなるため、コントラストの改善が図れず、所謂切れのないぼやけた画面になってしまう。
　そこで、視野角依存性を画面のシャープさを失うことなく改善する手段として・・・がある。」
　
ｃ．「【０００８】
　　【課題を解決するための手段】上記課題を解決するため本発明は、２枚のガラス基板間に液晶が注入され、これらガラス基板の相対向する内側面には透明電極が形成され、外側面には偏光板が設けられた液晶表示装置において、前記ガラス基板のうち表示面側のガラス基板の液晶と対向する内側面と液晶との間に、媒体中にこの媒体の屈折率とは異なる屈折率を有する粒子を分散させた透明媒体層を介在せしめた。
　　　【０００９】ここで、前記透明媒体層としては例えばゾルゲル層が考えられ、このゾルゲル層中に分散せしめるビーズ等の粒子の径は５μｍ以上２０μｍ以下とするのが好ましい。・・・
　　　【００１０】
　　　【作用】光源から出た光は、偏光板を介して所定の偏光成分の光が液晶セルに入射し、この液晶セルを透過する光は、透明媒体層（ゾルゲル層）中の粒子（ビーズ）によって屈折拡散せしめられて出射するため、視野角依存性が改善される。」
　
ｄ．「【００１１】
　　【実施例】以下に本発明の実施例を添付図面に基づいて説明する。ここで、図１は本発明に係る液晶表示装置の断面図、図２はゾルゲル層の拡大断面図であり、液晶表示装置は液晶セル１の両面に偏光板２，３を設け、一方の偏光板２の外側には光源４及び拡散板４ａからの入射光の分散角を制御するプリズムシート５を設けている。
　　　【００１２】前記液晶セル１は、２枚のガラス基板１１，１２の間に液晶１３を注入保持し、光源４側のガラス基板１１の内側（液晶側）に透明電極１４がストライプ状に形成され、また表示面側のガラス基板１２の内側にはゾルゲル層１５が形成され、このゾルゲル層１５の内側面に透明電極１６が形成されている。この透明電極１６は平面視で前記透明電極１４と直交する方向に伸びるストライプ状をなしている。
　　　【００１３】
　前記ゾルゲル層１５は媒体１７中にこの媒体よりも例えば屈折率の大きなビーズ等の粒子１８を分散させてなり、媒体１７としては例えばメチルトリアルコキシシラン（屈折率１．３８）を用い、この媒体１７中に分散せしめる粒子１８としてはＳiＯ2（屈折率１．４６）、Ａl2Ｏ3（屈折率１．６）及びＴiＯ2（屈折率２．３）等を用いる。」
　
ｅ．「【００２２】
　　【発明の効果】以上に説明したように本発明によれば、液晶表示装置の液晶セルを構成するガラス基板のうち、表示面側のガラス基板の液晶と対向する内側面と液晶との間に、媒体中にこの媒体の屈折率とは異なる屈折率を有する粒子を分散させたゾルゲル層等の透明媒体層を介在せしめたので、透明媒体層中の粒子によって屈折拡散せしめられて出射するため、視野角依存性が改善される。そして、ガラス基板としてＮa+やＫ+等を含んだものとする必要がないので、このガラス板を用いて液晶基板を構成した場合に、熱影響で反りが発生することも防止できる。」
　
　また、図１、２からは、
ｆ．「液晶１３を挟む状態に設けられる２つの透明電極１４、１６と、
　透明電極１４から液晶１３に向けて略平行な光を出射する光源４と、
　前記光源４と一方の透明電極１４との間に設けられるプリズムシート５と、
　他方の透明電極１６の前記液晶１３と反対側に配置され、該液晶１３を透過した直後の光を拡散する複数の球状の粒子（ビーズ）１８からなる透明媒体層（ゾルゲル層）１５と
　を備えている液晶表示装置。」が見て取れる。
　
　したがって、上記ａ〜ｆによれば、先願明細書には、
「液晶１３を挟む状態に設けられる２つの透明電極１４、１６と、
　透明電極１４から液晶１３に向けて略平行な光を出射する光源４と、
　前記光源４と一方の透明電極１４との間に設けられるプリズムシート５と、
　他方の透明電極１６の前記液晶１３と反対側に配置され、該液晶１３を透過した直後の光を拡散する複数の球状の粒子（ビーズ）１８からなる透明媒体層（ゾルゲル層）１５と
　を備えている液晶表示装置。」（以下、「先願発明」という。）が記載されていると認める。
　　　
（３）対比・判断 
　本願発明と先願発明とを対比する。
　先願発明の「プリズムシート５」は、光源４からの出射光を集光するものであることは自明であるから、本件発明の「プリズム」に相当する。
　また、先願発明の「液晶１３」、「透明電極１４」及び「透明電極１６」は、本件発明の「液晶層」、「一方の透明電極層」及び「他方の透明電極層」にそれぞれ相当する。　
　さらに、本願発明の「球状レンズ」は、「粒子」であることは明らかであるから、「粒子」である点で、先願発明の「複数の球状の粒子（ビーズ）からなる透明媒体層（ゾルゲル層）」は、本願発明の「複数の球状レンズからなる拡散手段」に相当する。
　したがって、両者は、
「液晶層を挟む状態に設けられる２つの透明電極層と、
　一方の透明電極層側から前記液晶層に向けて略平行な光を出射する光源と、
　前記光源と一方の透明電極層との間に設けられ、前記光源から出射される光を集光するプリズムと、
　他方の透明電極層の前記液晶層と反対側に配置され、該液晶層を透過した直後の光を拡散する複数の粒子からなる拡散手段と
　を備えている液晶表示装置。」の点で一致し、以下の点で一応相違する。　
【相違点】複数の「粒子」が、本願発明は、複数の「球状レンズ」から成るものであるのに対して、先願発明は、複数の「球状の粒子（ビーズ）」からなるものである点。
　
　この点について検討すると、
　本願発明の「球状レンズ」は、シリカ等からなる球状粒子から構成され、液晶層を透過した直後の光を拡散せしめるものであるのに対して（本願明細書【００１２】、【０００５】）、先願発明の「球状の粒子（ビーズ）」も、ＳｉＯ２（シリカ）等からなる球状の粒子であって、液晶層を透過した直後の光を屈折拡散せしめるものであるから（先願明細書の【００１３】、【００１０】）、当然にレンズ作用を有するものであって、材質的にも光学的にも両者は異なるところがない。
　そうすると、上記相違点は実質的な差異とはいえず、先願発明は、本願発明のすべての構成要件を充足するといえるから、両者は実質的に同一である。
　したがって、本願発明は、先願明細書に記載された発明である。　　　
　
（４）むすび 
 　以上のとおり、本願発明は、先願明細書に記載された発明と実質的に同一であり、しかも本願発明の発明者が上記先願発明の発明者と同一であるとも、本願出願の時において、その出願人が上記先願の出願人と同一であるとも認められないから、本願発明は特許法第２９条の２の規定により特許を受けることはできない。
　よって、結論のとおり審決する。